(57)【要約】【課題】ハンディターミナルの使用される現場でサーマル用紙の装填が容易で、且つ、イメージ処理によるＯＣＲを使用した自動読み取り処理に対応した郵便振替専用払込書の規格である郵政振替私製基準等の寸法精度の高い精度のプリントの要求を満たす印字ズレ、印字カスレ等の無い高いプリント精度を持ったサーマルプリンタの実現が求められている。【解決手段】本発明は、サーマルプリンタ用紙紙保持ホイールが先端にセットされたアームに設けた用紙ガイドと、サーマルヘッドの取り付け金具に設けられた位置規制用のツメが嵌合するうようにして、サーマルヘッドの用紙に対する位置決めをして位置関係を正確に保持することにより、印字のズレやカスレを防止して高いプリント精度を可能にしたものである。【選択図】図１
2004345202.tif 000002
【特許請求の範囲】
【請求項１】
ベースと該ベースに開閉可能に結合されたカバーを持ち、ベースにサーマル用紙の収納部とサーマルプリント用紙を駆動するプラテンローラを備え、カバーにサーマルヘッドを備えたサーマルプリンタにおいて、
前記ベースにその一端が回動可能に取り付けられ、他端にはサーマルプリント用紙保持用のホイールが取り付けられ、サーマルプリント用紙の位置を規制するガイドが設けられたアームと、
前記カバーに取り付けられた、サーマルヘッドの位置規制用のツメが設けられたサーマルヘッドの取り付け金具とを具備し、
前記サーマルヘッドの保持金具はベースのサーマルヘッドの保持金具の取り付け孔に回動可能に結合され、カバーを閉じた状態で、サーマルヘッドの取り付け金具に設けられた位置規制用のツメが、アームに設けられた用紙ガイドに嵌合するようにして、サーマルヘッドの横ズレを無くして用紙の位置関係を正確に保持することにより印字のズレやカスレを防止するようにしたことを特徴としたサーマルプリンタ。
【請求項２】
請求項１において、サーマルヘッドの保持金具の取り付け孔と、プラテンローラの取り付け孔が、樹脂モールドのベースに同時にあけられ、その位置精度が確保されていることを特徴としたサーマルプリンタ。
【発明の詳細な説明】
【０００１】
【発明の属する技術分野】
本発明は、印字ズレやカスレ等の無い高精度なプリントが行えるサーマルプリンタに関する。
本発明のサーマルプリンタは、電気や水道等の検針及ぴ集金等の外勤業務で使用されるハンディターミナル等におていて、高精度なプリントが要求されるＯＣＲの自動読み取りに対応出来る振込用紙等のプリントを可能にしたものである。
【０００２】
【従来の技術】
電気や水道の検針及び集金等の外勤業務にてその結果を現場でプリントするようにしたハンディターミナルが広く使用されるようになり、検針結果だけでなく使用料金の振込用紙等も、現場でプリントして使用者に渡されるようになっている。
ハンディターミナルのサーマルプリンタには、構成が簡単で小型化が容易なラインサーマルプリンタが使用されている。従来のラインサーマルプリンタの構成を図４に示す。図４の（ａ）は斜視図、（ｂ）は断面図を示す。図４に示すように、従来のラインサーマルプリンタは、ヒンジＨにより開閉可能に結合されたベース１０とカバー２０を持ち、ベース１０にサーマルプリント用紙の収納部１７とサーマルプリント用紙を駆動するプラテンローラ１１を持っている。
この収納部１７には、サーマルプリント用紙紙保持ホイール１４が、アーム１２の先端にセットされて収納されていて、アーム１２が支点を中心に回動自在に取り付けられ、ベースに対し近接離反する方向に回動することによりサーマルプリント用の装填が容易に出来るようになっている。
サーマルヘッド２１はカバー２０に、ベース１０のプラテンローラ１１に対向した位置に取り付けられており、カバー２０を閉じた状態で、サーマルヘッド２１がプラテンローラ１１の位置が一致するように構成されている。
【０００３】
従来のラインサーマルプリンタでは、サーマルプリント用紙保持用のホイール１４がアーム１２の先端にセットされて収納部１７収納されており、サーマルヘッド２１とプラテンローラ１１が、それぞれカバー２０と、ベース１０に分離した形で取り付けられ、サーマルプリント用紙保持用のホイール１４はアーム１２を介して取り付けられいるために、サーマルプリント用紙とサーマルヘッド２１とプラテンローラ１１の相互の位置を正確に調整する作業に手間がかかり、又、調整後も使用中にカバーの開閉等によりサーマルヘッド２１とサーマルプリント用紙の位置がずれて来るために印字ズレ、印字カスレ等が発生し正確な印字を行うことが出来なかった。
（特開平１０−１６６６８６号，特開平１１−９９７２５号）
【０００４】
最近、郵便局や銀行等の金融機関では、振込票の処理にＯＣＲを使用した自動読み取り処理が普及しつつあり、郵便振替においても郵便振替専用払込書の規格である郵政振替私製基準が作成されている。
図５は郵政振替私製基準の位置関係規格の一例を示したものである。
郵便振替専用払込書は、口座番号欄、金額欄、加入者名欄よりなる第１票の払込取扱票と、振込票兼受領書よりなる第２票の払込票とよりなり、払込取扱票と払込票との間にミシン目が入れられた構成になっており、その位置関係が厳しく規定されている。
即ち、払込取扱票の外枠やデータの記入される各欄の線の太さと位置は、図５の（ａ）に示すように、１／１０ｍｍ単位で決められている。又、払込取扱票に印字されるＯＣＲ文字の位置は、図５の（ｂ）に示すように、その中心（線）が払込取扱票の上端から１／１００ｍｍ単位で決められており、印字ズレの許容範囲も１／１０単位で決められている。
このように、ＯＣＲによるイメージ処理を使用した自動読み取り処理を可能にした振込票等のプリントには高い精度が要求されている。
【０００５】
【発明が解決しようとする課題】
ハンディターミナルの使用される検針現場等においても、イメージ処理によるＯＣＲを使用した自動読み取り処理に対応した郵便振替専用払込書の規格である郵政振替私製基準等の厳しい寸法精度の要求に対応した、高い精度のプリントの要求を満たし、印字ズレ、印字カスレ等の無い高品質のプリントが可能なサーマルプリンタの実現が求められている。
【０００６】
【課題を解決するための手段】
本発明は、サーマルプリント用紙紙保持ホイールが先端にセットされ、支点を中心に回動自在に取り付けられてベースに対し近接離反する方向に回動するように構成されたアームに用紙ガイドを設け、この用紙ガイドにサーマルヘッドの取り付け金具に設けられた位置規制用のツメがスライド自在に嵌合するうようにして、サーマルヘッドの用紙に対する位置決めをして位置不動状態を維持することにより、サーマルヘッドの用紙に対する横方向の揺動を無くして用紙の位置関係を正確に保持することにより、印字の精度を保ち、印字のズレやカスレを防止するようにして高品質のプリントが可能なサーマルプリンタを実現したものである。
【０００７】
【発明の実施の形態】
【実施例】
本発明のサーマルプリンタの一実施例を図１乃至図３に基づいて説明する。
図１は本発明のサーマルプリンタの全体構成の斜視図、図２は本発明のサーマルプリンタのカバーを閉じた状態の断面図、図３はカバーを開いた状態の断面図を示したものである。
図１乃至図３において、１０はサーマルプリンタのベースである。
１１はプラテンローラ、１２はサーマルプリント用紙保持用のホイールのアーム、１３はアームに設けられた用紙ガイドである。１４はサーマルプリント用紙保持用のホイールである。１５はサーマルヘッドの保持金具の取り付け孔、１６はプラテンローラの取り付け孔、１７はサーマル用紙の収納部である。
ベース１０にはサーマル用紙を駆動するプラテンローラ１１がプラテンローラの取り付け孔１６に装着されている。
アーム１３は、そのの一端がプラテンローラの取り付け孔１６に回動可能に取り付けられベース１０に対し接離反する方向に回動するように構成され、アーム１３の他端にはサーマルプリント用紙保持用のホイール１４が取り付けられ、サーマルプリント用紙の収納部１７に格納されている。
【０００８】
２０はサーマルプリンタのカバーである。２１はサーマルヘッド、２２はサーマルヘッドの保持金具である。２３はサーマルヘッドの取り付け金具に設けられた位置規制用のツメである。Ｐはサーマルプリンタ用紙である。
サーマルヘッドの保持金具２２はカバー２０にベース１０のプラテンローラ１１に対向した位置に取り付けられ、ベース１０のサーマルヘッドの保持金具の取り付け孔１５に回動可能に結合されており、カバー２０を閉じた状態で、サーマルヘッド２１とプラテンローラ１１の位置が一致するように構成されている。
サーマルヘッドの保持金具２２の取り付け孔１５と、プラテンローラ１１の取り付け孔１６は、樹脂モールドのベース１０に同時に加工され、その位置精度が確保されているので、サーマルヘッド２１とプラテンローラ１１の相関位置は常に一定に保持される。
サーマルプリント用紙保持ホイール１４が先端にセットされたアーム１２は、支点のプラテンローラ１１の取り付け孔１６を中心に回動自在に取り付けられてベースに対し近接離反する方向に回動するように構成されているため、
サーマルプリント用紙紙保持ホイール１４をベース１０の収納部の上の開口部まで引き上げて、サーマルプリント用紙Ｐの装填や交換をおこなうことが出来る。
【０００９】
先ず、本発明のサーマルプリンタ１に、サーマルプリント用紙Ｐを装填する方法について説明する。
サーマルプリンタに、サーマルプリント用紙Ｐを装填するには、図３に示すように、カバー２０を開くことにより、ベース１０に開口部が出来る。この開口部より、ベース１０の収納部１７に収納されているアーム１２の先端を上方向に引き上げる。これによりアーム１２の先端に取り付けられていたサーマルプリント用紙保持用のホイール１４が、ベース１０のサーマル用紙の収納部１７の上部に引き出されるので、この状態でホイール１４にサーマルプリント用紙Ｐをセットし保持させる。
サーマルプリント用紙保持用のホイール１４にサーマルプリント用紙Ｐを保持させた後、アーム１２の先端を下方向に押し下げ、ベース１０の収納部１７にサーマルプリント用紙を収容する。サーマルプリント用紙Ｐの装填や交換は、サーマルプリント用紙保持用のホイール１４をサーマルプリント用紙の収納部１７の上部に引き出した状態で行われる。
【００１０】
次に、本発明のサーマルプリンタのプリント精度保持する機構の構成について説明する。サーマルプリンタのプリントを行う場合には、ベース１０のサーマルプリント用紙の収納部１７にサーマルプリント用紙Ｐを装填した後、用紙の先端をプラテンローラ１１の上部まで引き出した後、図２に示すように、カバー２０を閉じる。  本発明のサーマルプリンタでは、カバー２０が閉じられる時に、アーム１２に設けられた用紙ガイド１３に、サーマルヘッド２１の取り付け金具２２に設けられた位置規制用のツメ２３がスライドして嵌合する。この結果、サーマルヘッド２１は、サーマルヘッドの取り付け金具２２を介してサーマルプリント用紙アーム１２に設けられた用紙ガイド１３に連結される。
つまり、サーマルヘッドの取り付け金具２２は、その一端がサーマルプリント用紙アーム１２に設けられた用紙ガイド１３に一体となって固定されるので、サーマルヘッド１１は常に正しい位置に位置固定されることになる。
【００１１】
このような構成により、本発明のサーマルプリンタでは、サーマルヘッド２１のサーマルプリント用紙Ｐに対する位置決めをして位置不動状態を維持することにより、サーマルヘッド２１のサーマルプリント用紙Ｐに対する横方向の揺動を無くして、サーマルヘッド２１とサーマルプリント用紙Ｐとの位置関係が正確に保持されるので、印字のズレやカスレを防止することが出来る。
本発明のサーマルプリンタは、上記のような構成により、工場出荷前に位置決めされて良好な印字を行なうことができるように調整しておくことにより、ユーザの側においても常に正確に位置を保持させることができるので、高精度のプリント寸法精度を要求されている振込用紙や捺印性を要求される領収書にも対応が可能になった。
【００１２】
【発明の効果】
本発明のサーマルプリンタは、サーマルプリント用紙アームに用紙ガイドを設け、このガイドにサーマルヘッドの取り付け金具に設けられた位置規制用のツメがスライド自在に嵌合するうようにして、サーマルヘッドのサーマルプリント用紙に対する位置決めをして位置不動状態を維持することにより、サーマルヘッドのサーマルプリント用紙に対する横方向の揺動を無くして用紙の位置関係を正確に保持することにより、印字のズレやカスレを防止することが出来る。
このため、本発明のサーマルプリンタは、ＯＣＲ読み取り装置等によるデータ処理を前提とした高精度のプリント寸法精度を要求されている振込用紙や捺印性を要求される領収書にも対応できる機能を提供することが可能になった。
【図面の簡単な説明】
【図１】本発明のサーマルプリンタの全体構成の斜視図を示したものである。
【図２】本発明のサーマルプリンタのカバーを閉じた状態の断面図を示したものである。
【図３】本発明のサーマルプリンタのカバーを開いた状態の断面図を示したものである。
【図４】従来のラインサーマルプリンタの構成を示したものである。
【図５】郵政振替私製基準の位置関係規格を示したものである。
【符号の説明】
１０・・・サーマルプリンタのベース，
１１・・・プラテンローラ，
１２・・・サーマルプリント用紙保持用のホイールのアーム，
１３・・・アームに設けられた用紙ガイド，
１４・・・サーマルプリント用紙保持用のホイール，
１５・・・サーマルヘッドの保持金具の取り付け孔，
１６・・・プラテンローラの取り付け孔，
１７・・・サーマルプリント用紙の収納部，
２０・・・サーマルプリンタのカバー，
２１・・・サーマルヘッド，
２２・・・サーマルヘッドの保持金具，
２３・・・サーマルヘッドの取り付け金具に設けられた位置規制用のツメ，
Ｐ・・・サーマルプリント用紙，
Ｈ・・・ヒンジ，
【図１】
2004345202.tif 000003
【図２】
2004345202.tif 000004
【図３】
2004345202.tif 000005
【図４】
2004345202.tif 000006
【図５】
2004345202.tif 000007